(57)【要約】  【課題】器具本体11に対して反射体12を確実に電気的に接続できる照明器具を提供する。  【解決手段】器具本体11には切り欠き孔18を設ける。反射体12には切り欠き孔18に挿入する切り起こし部24を切り起こす。切り欠き孔18の孔縁部19の開口幅を切り起こし部24より小さくする。切り起こし部24を切り欠き孔18に挿入することにより、切り起こし部24の切断面部27および突出部26が切り欠き孔18の孔縁部19に当接する。切り起こし部24の突出部26の傾斜によって切断面部27を切り欠き孔18の孔縁部19に押し付け、器具本体11に対して反射体12を電気的に接続する。  【選択図】図１
2006221913.tif 000002
【特許請求の範囲】
【請求項１】
導電性を有する基板の表面を絶縁性を有する絶縁膜で覆った基板部を備えた器具本体と；
導電性を有する基板の表面を絶縁性を有する絶縁膜で覆った反射体本体部を備え、器具本体に取り付けられる反射体と；
器具本体および反射体のいずれか一方から他方へ向けて傾斜状に切り起こされた突出部、および突出部の先端側で前記一方から切断されて基板が露出する切断面部を有する切り起こし部と；
器具本体および反射体のいずれか他方に穿設されて基板が露出する孔縁部を備え、孔縁部の開口幅が切り起こし部より小さく、器具本体への反射体の取付時に切り起こし部が挿入されて切断面部および突出部が孔縁部に当接する切り欠き孔と；
を具備していることを特徴とする照明器具。
【請求項２】
導電性を有する基板の表面を絶縁性を有する絶縁膜で覆った基板部、および基板部から互いに対向して切り起こされ基板が露出する切断面部が設けられた両側の切り起こし部を備えた器具本体と；
導電性を有する基板の表面を絶縁性を有する絶縁膜で覆った断面略Ｖ字形の反射体本体部、および反射体本体部の両側縁に基板が露出する切断面部が設けられた両側の取付部を備え、両側の取付部の切断面部の対向間隔が両側の切り起こし部の切断面部の対向間隔より広く、両側の取付部が両側の切り起こし部に挿入されて取付部の切断面部が切り起こし部の切断面部に当接した状態で取り付けられる反射体と；
を具備していることを特徴とする照明器具。
【請求項３】
器具本体と；
導電性を有する基板の表面を絶縁性を有する絶縁膜で覆った反射体本体部、反射体本体部に形成された取付孔、および取付孔の内側に基板が露出するノックアウト切断部を備えた反射体と；
器具本体に電気的接続状態で取り付けられ、反射体の取付孔に挿入して反射体を器具本体に支持するとともに取付孔のノックアウト切断部に当接して反射体と電気的に接続する止め金具と；
を具備していることを特徴とする照明器具。
【請求項４】
器具本体と；
器具本体に電気的接続状態で取り付けられる反射体と；
反射体に係合される係合部、係合部に設けられた挿通孔、および挿通孔の内側に基板が露出するノックアウト切断部を備えたバッフルと；
反射体に係合されたバッフルの挿通孔に挿通されてバッフルを反射体に取り付けるとともに挿通孔の切断部に接触し、反射体に電気的接続状態に取り付けられるシャフトと；
を具備していることを特徴とする照明器具。
【請求項５】
器具本体と；
導電性を有する基板の表面を絶縁性を有する絶縁膜で覆った反射体本体部、および反射体本体部に穿設されて基板が露出する切断面部が設けられたバッフル取付溝部を備え、器具本体に電気的接続状態で取り付けられる反射体と；
導電性を有する基板の表面を絶縁性を有する絶縁膜で覆い反射体のバッフル取付溝部に挿入されて取り付けられるバッフル板、およびバッフル取付溝部の切断面部に当接するバッフル板の位置に基板が露出する切断部を備えたバッフルと；
を具備していることを特徴とする照明器具。
【発明の詳細な説明】
【技術分野】
【０００１】
本発明は、器具本体に対して制光部品の接地を確保する照明器具に関する。
【背景技術】
【０００２】
従来、照明器具では、器具本体に、制光部品として反射体やこの反射体に備えた複数のバッフルなどが取り付けられている。器具本体は、この器具本体にねじ止めされた端子台のアース端子を介して接地が確保されており、また、反射体やバッフルなどの制光部品についても接地の確保が求められている。
【０００３】
器具本体と反射板との接地の確保については、根元部分に突起を設けた取付ねじを反射板を通じて器具本体にねじ込んだときに、取付ねじの突起が反射板に接触し、取付ねじを介して反射板を器具本体に電気的に接続する構造がある（例えば、特許文献１参照。）。
【特許文献１】特開２００４−２０７１８９号公報（第２−３頁、図１−５）
【発明の開示】
【発明が解決しようとする課題】
【０００４】
ところで、照明器具の器具本体、反射体およびバッフルなどは、予め表面に塗装が施された塗装鋼板を材料として用いたり、反射体やバッフルの組立状態で表面に塗装を施している。
【０００５】
そのため、突起を設けた取付ねじを用いても、取付ねじの締付トルクによっては突起が塗装を破らない可能性があり、電気的な接続が確実でない問題がある。
【０００６】
また、塗装鋼板を用いたり塗装を施したバッフルは、反射体に組み立てても電気的に接続できず、器具本体に接地をとることができなかった。
【０００７】
本発明は、このような点に鑑みなされたもので、器具本体に対して制光部品を確実に電気的に接続できる照明器具を提供することを目的とする。
【課題を解決するための手段】
【０００８】
請求項１記載の照明器具は、導電性を有する基板の表面を絶縁性を有する絶縁膜で覆った基板部を備えた器具本体と；導電性を有する基板の表面を絶縁性を有する絶縁膜で覆った反射体本体部を備え、器具本体に取り付けられる反射体と；器具本体および反射体のいずれか一方から他方へ向けて傾斜状に切り起こされた突出部、および突出部の先端側で前記一方から切断されて基板が露出する切断面部を有する切り起こし部と；器具本体および反射体のいずれか他方に穿設されて基板が露出する孔縁部を備え、孔縁部の開口幅が切り起こし部より小さく、器具本体への反射体の取付時に切り起こし部が挿入されて切断面部および突出部が孔縁部に当接する切り欠き孔とを具備しているものであり、切り起こし部が切り欠き孔に挿入されることにより、切り起こし部の切断面部および突出部が切り欠き孔の孔縁部に当接するとともに、切り起こし部の突出部の傾斜によって切断面部が切り欠き孔の孔縁部に押し付けられ、器具本体に対して反射体が電気的に接続される。
【０００９】
なお、切り起こし部とは、切断面部側のみが基板から切断されて切り起こされた袋ダボなどであり、また、切り起こし部の突出部の傾斜状とは、湾曲形状、直線形状などのいずれでもよい。切り欠き孔は、角孔、丸孔などのいずれでもよい。また、ねじで器具本体と反射体とを締め付けることにより、切り起こし部の傾斜状の突出部と切り欠き孔の孔縁部との当接を介して切り起こし部の切断面部が切り欠き孔の孔縁部に強く押し付けられる。
【００１０】
請求項２記載の照明器具は、導電性を有する基板の表面を絶縁性を有する絶縁膜で覆った基板部、および基板部から互いに対向して切り起こされ基板が露出する切断面部が設けられた両側の切り起こし部を備えた器具本体と；導電性を有する基板の表面を絶縁性を有する絶縁膜で覆った断面略Ｖ字形の反射体本体部、および反射体本体部の両側縁に基板が露出する切断面部が設けられた両側の取付部を備え、両側の取付部の切断面部の対向間隔が両側の切り起こし部の切断面部の対向間隔より広く、両側の取付部が両側の切り起こし部に挿入されて取付部の切断面部が切り起こし部の切断面部に当接した状態で取り付けられる反射体とを具備しているものであり、反射体の両側の取付部が器具本体の両側の切り起こし部に挿入されることにより、反射体が器具本体に取り付けられるとともに、取付状態での反射体の弾性によって取付部の切断面部が切り起こし部の切断面部に押し付けられ、器具本体に対して反射体が電気的に接続される。
【００１１】
なお、切り起こし部とは、切断面部側のみが基板部から切断されて切り起こされた袋ダボや、切断面部と反対側も基板部から切断された切りダボなどでもよい。取付部とは、切り起こし部に挿入される突片などでもよい。
【００１２】
請求項３記載の照明器具は、器具本体と；導電性を有する基板の表面を絶縁性を有する絶縁膜で覆った反射体本体部、反射体本体部に形成された取付孔、および取付孔の内側に基板が露出するノックアウト切断部を備えた反射体と；器具本体に電気的接続状態で取り付けられ、反射体の取付孔に挿入して反射体を器具本体に支持するとともに取付孔のノックアウト切断部に当接して反射体と電気的に接続する止め金具とを具備しているものであり、反射体の取付孔が器具本体に電気的接続状態で取り付けられた止め金具に挿入されることにより、反射体が器具本体に支持されるとともに、反射体の取付孔の内側のノックアウト切断部が止め金具に当接して反射体と電気的に接続され、器具本体に対して反射体が電気的に接続される。
【００１３】
なお、ノックアウト切断部とは、取付孔の内側に予め形成されていたノックアウトを切断した部分をいう。止め金具とは、例えば板ばね材で形成し、反射体の取付孔に着脱可能とする。
【００１４】
請求項４記載の照明器具は、器具本体と；器具本体に電気的接続状態で取り付けられる反射体と；反射体に係合される係合部、係合部に設けられた挿通孔、および挿通孔の内側に基板が露出するノックアウト切断部を備えたバッフルと；反射体に係合されたバッフルの挿通孔に挿通されてバッフルを反射体に取り付けるとともに挿通孔の切断部に接触し、反射体に電気的接続状態に取り付けられるシャフトと；を具備しているものであり、反射体に係合されたバッフルの挿通孔にシャフトが挿通されることにより、このシャフトが反射体に電気的接続状態に取り付けられるとともに、挿通孔の内側のノックアウト切断部がシャフトに接触され、器具本体に対して反射体とともにバッフルが電気的に接続される。
【００１５】
なお、ノックアウト切断部とは、挿通孔の内側に予め形成されていたノックアウトを切断した部分をいう。
【００１６】
請求項５記載の照明器具は、器具本体と；導電性を有する基板の表面を絶縁性を有する絶縁膜で覆った反射体本体部、および反射体本体部に穿設されて基板が露出する切断面部が設けられたバッフル取付溝部を備え、器具本体に電気的接続状態で取り付けられる反射体と；導電性を有する基板の表面を絶縁性を有する絶縁膜で覆い反射体のバッフル取付溝部に挿入されて取り付けられるバッフル板、およびバッフル取付溝部の切断面部に当接するバッフル板の位置に基板が露出する切断部を備えたバッフルとを具備しているものであり、反射体のバッフル取付溝部にバッフルのバッフル板が挿入されて取り付けることにより、反射体のバッフル取付溝部の切断面部にバッフル板の切断部が当接され、器具本体に対して反射体とともにバッフルが電気的に接続される。
【００１７】
なお、切断部とは、例えば、複数のバッフルを多連結でプレス成形して絶縁膜で覆った後、１つずつに分離する際に切断した部分をいう。
【発明の効果】
【００１８】
請求項１記載の照明器具によれば、器具本体への反射体の取付時に、切り起こし部が切り欠き孔に挿入されて、切り起こし部の切断面部および突出部が切り欠き孔の孔縁部に当接するとともに、切り起こし部の突出部の傾斜によって切断面部が切り欠き孔の孔縁部に押し付けられ、器具本体に対して反射体を確実に電気的に接続できる。
【００１９】
請求項２記載の照明器具によれば、反射体の両側の取付部が器具本体の両側の切り起こし部に挿入されて、反射体が器具本体に取り付けられるとともに、両側の取付部の切断面部の対向間隔が両側の切り起こし部の切断面部の対向間隔より広く、取付状態での反射体の弾性によって取付部の切断面部が切り起こし部の切断面部に押し付けられ、器具本体に対して反射体を確実に電気的に接続できる。
【００２０】
請求項３記載の照明器具によれば、反射体の取付孔が器具本体に電気的接続状態で取り付けられた止め金具に挿入されて、反射体が器具本体に支持されるとともに、反射体の取付孔の内側のノックアウト切断部が止め金具に当接して反射体と電気的に接続され、器具本体に対して反射体を確実に電気的に接続できる。
【００２１】
請求項４記載の照明器具によれば、反射体に係合されたバッフルの挿通孔にシャフトが挿通され、このシャフトが反射体に電気的接続状態に取り付けられるとともに、挿通孔の内側のノックアウト切断部がシャフトに接触され、器具本体に対して反射体とともにバッフルを確実に電気的に接続できる。
【００２２】
請求項５記載の照明器具によれば、反射体のバッフル取付溝部にバッフルのバッフル板が挿入されて取り付けられるとともに、反射体のバッフル取付溝部の切断面部に当接するバッフル板の位置に設けられた切断部が接触され、器具本体に対して反射体とともにバッフルを確実に電気的に接続できる。
【発明を実施するための最良の形態】
【００２３】
以下、本発明の実施の形態を図面を参照して説明する。
【００２４】
図１に第１の実施の形態を示し、図１は照明器具の一部の断面図である。
【００２５】
図１に示すように、照明器具は、器具本体11、この器具本体11に配置される反射体12、この反射体12を器具本体11に取り付ける取付ねじ13、器具本体11に配置される例えば蛍光ランプや白熱ランプなどのランプを装着する図示しないランプソケットなどを備えている。
【００２６】
器具本体11は、基板としての導電性を有する金属板の表面を、絶縁性を有する絶縁膜として白色のメラミン焼き付け塗装による塗装で覆った基板部16を有し、この基板部16の部材により一体あるいは複数の部材を組み合わせて形成されている。この器具本体11には図示しない端子台が電気的に接続された状態に取り付けられ、この端子台を介して器具本体11が接地されている。
【００２７】
この器具本体11における反射板12の取付位置には、反射板12を挿通した取付ねじ13が螺着される取付孔17が形成されているとともに、この取付孔17の近傍位置に切り欠き孔18が形成されている。
【００２８】
この切り欠き孔18は、例えば角孔形状に穿設されており、その孔縁部19に導電性を有する基板が露出している。
【００２９】
また、反射体12は、基板としての導電性を有する金属板の表面を、絶縁性を有する絶縁膜として白色のメラミン焼き付け塗装による塗装で覆った反射体本体部22を有し、この反射体本体部22の部材により一体あるいは複数の部材を組み合わせて形成されている。
【００３０】
この反射体12における器具本体11への取付位置には、器具本体11の取付孔17の位置に対応して取付ねじ13が挿通する挿通孔23が形成されているとともに、この挿通孔23の近傍で器具本体11の切り欠き孔18の位置に対応して切り起こし部24が器具本体11側へ向けて切り起こされている。
【００３１】
この切り起こし部24は、袋ダボ25で構成され、器具本体11へ向けて傾斜状であって本例では円弧状に切り起こされて突出する突出部26、およびこの突出部26の切り起こした先端側で反射体本体部22から切断されて導電性を有する基板が露出する切断面部27を有している。そして、突出部26の外面には円弧状の傾斜面28が形成され、また、切断面部27の形状はこの切断面部27の正面側から見た場合に半環状に形成され、切断面部27の向きは挿通孔23に対向して形成されている。
【００３２】
そして、器具本体11の切り欠き孔18の孔縁部19の開口幅の寸法をａ、反射体12の袋ダボ25の突出部26における反射体本体部22からの切り起こし基端部から切断面部27までの寸法をｂとした場合、ａ＜ｂの関係にあり、すなわち、切り欠き孔18より袋ダボ25が大きく、そのため、器具本体11への反射体12の取付時に、切り欠き孔18に袋ダボ25が挿入した際に、袋ダボ25の突出部26および切断面部27の両方が孔縁部19に当接する寸法関係になっている。
【００３３】
また、取付ねじ13は、化粧ねじで、ねじ軸31、このねじ軸31の頭部に設けられた操作部32を有している。
【００３４】
なお、照明器具の具体的な構造については、他の実施の形態に示す構造などと同様である。
【００３５】
そして、器具本体11に反射体12を取付ねじ13で取り付ける場合、反射体12の袋ダボ25を器具本体11の切り欠き孔18に挿入する。これにより、袋ダボ25の突出部26および切断面部27の両方が孔縁部19に当接する。また、反射体12の挿通孔23と器具本体11の取付孔17との中心軸が一致し、取付ねじ13のねじ軸31の先端を反射体12の挿通孔23から器具本体11の取付孔17に容易に挿入できて螺着できる。
【００３６】
取付ねじ13を締め付けることにより、袋ダボ25の突出部26の傾斜面28と切り欠き孔18の孔縁部19との当接によって、袋ダボ25の切断面部27が孔縁部19に押し付けられて確実に接触する。
【００３７】
この袋ダボ25の切断面部27と切り欠き孔18の孔縁部19とは、それぞれ導電性を有する基板が露出しているために、接触することで反射体12を器具本体11に電気的に接続でき、反射体12を接地できる。
【００３８】
このように、器具本体11への反射体12の取付時に、袋ダボ25が切り欠き孔18に挿入されて、袋ダボ25の突出部26および切断面部27が切り欠き孔18の孔縁部19に当接するとともに、袋ダボ25の突出部26の傾斜によって切断面部27が切り欠き孔18の孔縁部19に押し付けられ、器具本体11に対して反射体12を確実に電気的に接続できる。
【００３９】
なお、器具本体11に切り欠き孔18、反射体12に切り起こし部24を設けたが、逆に、器具本体11に切り起こし部24、反射体12に切り欠き孔18を設けても、同様の作用効果が得られる。
【００４０】
次に、図２ないし図４に第２の実施の形態を示し、図２は照明器具の断面図、図３は照明器具の平面図、図４は照明器具における器具本体の切り起こし部と反射体の取付部との取付状態を示し、(a)は平面図、(b)は断面図である。
【００４１】
図２および図３に示すように、照明器具は、器具本体11、この器具本体11内に配置される反射体12、器具本体11内に配置される２本の直管形の蛍光ランプＬを装着する２組のランプソケット41、蛍光ランプＬを点灯させる点灯装置42、電源接続用および接地用の端子台43などを備えている。
【００４２】
器具本体11は、基板としての導電性を有する金属板の表面を、絶縁性を有する絶縁膜として白色のメラミン焼き付け塗装による塗装で覆った基板部16を有し、この基板部16の部材により一体あるいは複数の部材を組み合わせて形成されている。本例では、中央域が長手方向に沿って上方に突出された天板部46aおよびこの天板部46aの長手方向と交差する両側域から下方へ折曲された側板部46bが形成された本体部46、この本体部46の長手方向の両端を閉塞して取り付けられた端板部47を有し、略長方形箱状に形成されており、これら本体部46および端板部47の内面は反射面として形成されている。
【００４３】
本体部46の天板部46aの中央域下面には点灯装置42および端子台43などが取り付けられ、これら点灯装置42および端子台43などとともに本体部46の中央域を覆って反射体12が本体部46の天板部46aに取り付けられている。反射体12の両側域において、両端の各端板部47に各ランプソケット41がそれぞれ互いに対向して取り付けられ、これらランプソケット41によって器具本体11内に２本の蛍光ランプＬが配置されている。端子台43は器具本体11に電気的に接続された状態に取り付けられ、この端子台43を介して器具本体11が接地されている。
【００４４】
本体部46の天板部46aには、反射板12の取付位置の両側域に、互いに対向して反射体12側である下方へ向けて切り起こされた両側の複数の切り起こし部50が形成されている。図４に示すように、これら切り起こし部50は、それぞれ袋ダボ51で構成され、この袋ダボ51の切り起こした先端側に導電性を有する基板が露出する切断面部52が形成されている。本例では、反射板12の取付位置の両側域に対向して配置される袋ダボ51は、器具本体11の長手方向の２箇所に配置されている。
【００４５】
また、反射体12は、基板としての導電性を有する金属板の表面を、絶縁性を有する絶縁膜として白色のメラミン焼き付け塗装による塗装で覆った反射体本体部22を有し、この反射体本体部22の部材により一体あるいは複数の部材を組み合わせて形成されている。本例では、長手方向に対して交差する断面が略Ｖ字形に形成され、その長手方向と交差する両側縁に器具本体11の本体部46の天板部46aに接合して取り付けられる折曲部55が略水平方向に折曲形成されている。これら両側の折曲部55には、器具本体11の各袋ダボ51の位置に対応した位置に、各袋ダボ51に挿入されて取り付けられる取付部56が形成されている。図４に示すように、これら各取付部56は、折曲部55を切り欠いた一対の溝部57間に取付片58を形成しており、各溝部57内における取付片58の基端部側には導電性を有する基板が露出する切断面部59が形成されている。
【００４６】
そして、器具本体11の両側の袋ダボ51の切断面部52の対向間隔をｃ、器具本体11に取り付ける前における反射体12の両側の取付部56の切断面部59の対向間隔をｄとした場合、ｃ＜ｄの関係にあり、すなわち、器具本体11の両側の袋ダボ51の切断面部52の対向間隔ｃより、反射体12の両側の取付部56の切断面部59の対向間隔ｄが広く、器具本体11に反射体12を取り付けたときの反射体12の弾性によって取付部56の切断面部59が袋ダボ51の切断面部52に押し付けられる寸法関係になっている。
【００４７】
そして、器具本体11に反射体12を取り付ける場合には、反射体12の一側の折曲部55に配置された各取付部56の取付片58を、器具本体11の一側に配置された各袋ダボ51に挿入し、取付部56の切断面部59を袋ダボ51の切断面部52に当接させる。
【００４８】
反射体12の弾性に抗して他側の折曲部55を一側に寄せ、つまり両側の折曲部55の間隔が狭まるように弾性変形させながら、反射体12の他側の折曲部55に配置された各取付部56の取付片58を、器具本体11の他側に配置された各袋ダボ51に挿入し、取付部56の切断面部59を袋ダボ51の切断面部52に当接させる。
【００４９】
これにより、反射体12の両側の取付部56の取付片58が器具本体11の両側の袋ダボ51に挿入されて、反射体12が器具本体11に取り付けられる。また、反射体12の両側の取付部56の切断面部59が器具本体11の両側の袋ダボ51の切断面部52に当接する。反射体12には両側の折曲部55の間隔が広がる方向に弾性が作用しているため、反射体12の両側の取付部56の切断面部59が器具本体11の両側の袋ダボ51の切断面部52に押し付けられて確実に接触する。
【００５０】
これら反射体12の両側の取付部56の切断面部59と器具本体11の両側の袋ダボ51の切断面部52とは、それぞれ導電性を有する基板が露出しているために、接触することで反射体12を器具本体11に電気的に接続でき、反射体12を接地できる。
【００５１】
このように、反射体12の両側の取付部56が器具本体11の両側の袋ダボ51に挿入されて、反射体12が器具本体11に取り付けられるとともに、両側の取付部56の切断面部59の対向間隔が両側の袋ダボ51の切断面部52の対向間隔より広く、取付状態での反射体12の弾性によって取付部56の切断面部59が袋ダボ51の切断面部52に押し付けられ、器具本体11に対して反射体12を確実に電気的に接続できる。
【００５２】
なお、切り起こし部50は、袋ダボ51に限らず、両側が切断されて切り起こされた切りダボでもよい。
【００５３】
次に、図５に第３の実施の形態を示し、図５は照明器具の平面図である。
【００５４】
第２の実施の形態の構成において、器具本体11の一側に、その一側に配置された切り起こし部50とは別の位置である中間位置に、切り起こし部50と同様に袋ダボ51で構成された接地用の切り起こし部50aを設ける。また、反射体12の一側に、切り起こし部50aの位置に対応して、取付部56と同様に、溝部57、取付片58および切断面部59を有する接地用の取付部56aを設ける。
【００５５】
そして、器具本体11の両側の袋ダボ51の切断面部52の対向間隔をｃ、器具本体11に取り付ける前における反射体12の両側の取付部56の切断面部59の対向間隔をｄとした場合、第２の実施の形態とは逆にｃ＞ｄの関係とし、すなわち、器具本体11の両側の袋ダボ51の切断面部52の対向間隔ｃより、反射体12の両側の取付部56の切断面部59の対向間隔ｄが狭い寸法関係になっている。ただし、器具本体11の両側の袋ダボ51の対向間隔より、反射体12の両側の取付部56の取付片58の先端の対向間隔が広い寸法関係になっている。また、一側の接地用の切り起こし部50aの切断面部52と他側の切り起こし部50の切断面部52との対向間隔をｃ1、器具本体11に取り付ける前における反射体12の一側の接地用の取付部56aの切断面部59と他側の取付部56の切断面部59との対向間隔をｄとした場合、ｃ1＜ｄの関係とし、すなわち、器具本体11に反射体12を取り付けたときの反射体12の弾性によって接地用の取付部56aの切断面部59が接地用の切り起こし部50aの切断面部52に押し付けられる寸法関係になっている。
【００５６】
このように、器具本体11の両側の袋ダボ51の切断面部52の対向間隔より、反射体12の両側の取付部56の切断面部59の対向間隔が狭いため、反射体12を大きく弾性変形させる必要がなく、反射体12を容易に取り付けることができる。
【００５７】
また、一側の接地用の切り起こし部50aの切断面部52と他側の切り起こし部50の切断面部52との対向間隔より、器具本体11に取り付ける前における反射体12の一側の接地用の取付部56aの切断面部59と他側の取付部56の切断面部59との対向間隔が広いため、取付状態での反射体12の弾性によって取付部56aの切断面部59が切り起こし部50aの切断面部52に押し付けられ、器具本体11に対して反射体12を確実に電気的に接続できる。
【００５８】
次に、図６および図７に第４の実施の形態を示し、図６は照明器具の断面図、図７は照明器具の反射体の取付構造を示す一部の断面図である。
【００５９】
照明器具は、器具本体11、この器具本体11内に配置される反射体12、器具本体11内に配置される２本の直管形の蛍光ランプＬを装着する２組のランプソケット41、蛍光ランプＬを点灯させる点灯装置42、電源接続用および接地用の図示しない端子台などを備えている。
【００６０】
器具本体11は、基板としての導電性を有する金属板の表面を、絶縁性を有する絶縁膜として白色のメラミン焼き付け塗装による塗装で覆った基板部16を有し、この基板部16の部材により一体あるいは複数の部材を組み合わせて形成されている。本例では、中央域が長手方向に沿って上方に突出された天板部46aおよびこの天板部46aの長手方向と交差する両側域から下方へ折曲された側板部46bが形成された本体部46、この本体部46の長手方向の両端を閉塞して取り付けられた端板部47を有し、略長方形箱状に形成されており、これら本体部46および端板部47の内面は反射面として形成されている。
【００６１】
本体部46の天板部46aの中央域下面には点灯装置42および端子台などが取り付けられ、これら点灯装置42および端子台などとともに本体部46の中央域を覆って反射体12が本体部46の天板部46aに取り付けられている。反射体12の両側域において、両端の各端板部47に各ランプソケット41がそれぞれ互いに対向して取り付けられ、これらランプソケット41によって器具本体11内に２本の蛍光ランプＬが配置されている。端子台は器具本体11に電気的に接続された状態に取り付けられ、この端子台を介して器具本体11が接地される。
【００６２】
本体部46の天板部46aの中央域には、天板部46aから立ち上げられた両側の立上部61およびこれら立上部61の上端間に配置された上面部62を有する断面略コ字形の突出部63が形成されている。両側の立上部61には、長手方向の複数箇所に反射体12を取り付けるための複数の取付孔64が形成され、また、上面部62の両側位置には、１枚の板材を折り曲げた導電性を有する金属板65が配置され、上面部62から挿通するねじ66が金属板65に螺着されて電気的に接続状態で固定されている。ねじ66は、例えば頭部に突起を有し、このねじ66を上面部62に締め付けることにより、突起で上面部62の塗装を剥がして器具本体11に電気的に接続される。このねじ66を通じて金属板65が器具本体11に電気的に接続される。
【００６３】
また、反射体12は、基板としての導電性を有する金属板の表面を、絶縁性を有する絶縁膜として白色のメラミン焼き付け塗装による塗装で覆った反射体本体部22を有し、この反射体本体部22の部材により一体あるいは複数の部材を組み合わせて形成されている。本例では、長手方向に対して交差する断面が略Ｖ字形に形成され、その長手方向と交差する両側縁に、器具本体11の突出部63における両側の立上部61の内面に接合して取り付けられる取付片68が上方へ向けて折曲形成されている。各取付片68には、立上部61の各取付孔64の位置に対応してこれら取付孔64に引っ掛かって反射体12を支持する複数のダボ69が切り起こされている。
【００６４】
取付片68のダボ69が立上部61の取付孔64に引っ掛かった状態で、取付片68の上縁が金属板65に当接する寸法関係に形成されている。反射体12の取付片68の上縁は、反射体12を切り出した反射体本体部22の切断面であり、つまり導電性を有する基板が露出する切断面部70が形成されている。
【００６５】
そして、器具本体11に反射体12を取り付ける場合には、器具本体11の内側に金属板65を配置してねじ66で固定するとともに電気的に接続し、反射体12の両側の取付片68を器具本体11の突出部63における両側の立上部61の内側に挿入し、両側の取付片68の各ダボ69を両側の立上部61の各取付孔64に嵌め込んで引っ掛け、反射体12を器具本体11に取り付ける。
【００６６】
取付片68のダボ69が立上部61の取付孔64に引っ掛かった状態で、取付片68の上縁の導電性を有する基板が露出する切断面部70が金属板65に当接し、器具本体11に対して反射体12を電気的に接続できる。
【００６７】
このとき、金属板65は１枚の板材を折り曲げて弾性機能を有しているため、金属板65と切断面部70とが弾性的に圧接し、確実に電気的に接続できる。
【００６８】
なお、器具本体11に金属板65を電気的接続状態に固定するには、ねじ66に限らず、リベットを用いたり、器具本体11への差し込み構造を用いてもよい。
【００６９】
また、金属板65には反射体12の切断面部70に当接する突起を設け、電気的接続を確実にしてもよい。
【００７０】
次に、図８および図９に第５の実施の形態を示し、図８は照明器具の断面図、図９は照明器具の反射体を示し、(a)は反射体の側面図、(b)は反射体のノックアウトを有する取付孔を示す側面図、(c)は反射体のノックアウトを切断した取付孔を示す側面図、図１０は照明器具の反射体と制光体とを組み合わせた制光体を示し、(a)は制光体の平面図、(b)は制光体の断面図、図１１は制光体のバッフルを示し、(a)はバッフルの正面図、(b)はバッフルのノックアウトを有する挿通孔の正面図、(c)はバッフルのノックアウトを切断した挿通孔の正面図である。
【００７１】
図８に示すように、照明器具は、器具本体11、この器具本体11内に配置される反射体12と器具本体11の照射開口である下面に配置される複数のバッフル81とを有する制光体82、器具本体11内に配置される２本の直管形の蛍光ランプＬを装着する２組のランプソケット41、蛍光ランプＬを点灯させる点灯装置42、電源接続用および接地用の図示しない端子台などを備えている。
【００７２】
器具本体11は、基板としての導電性を有する金属板の表面を、絶縁性を有する絶縁膜として白色のメラミン焼き付け塗装による塗装で覆った基板部16を有し、この基板部16の部材により一体あるいは複数の部材を組み合わせて形成されている。本例では、天板部46aおよびこの天板部46aの両側域から下方へ拡開折曲された側板部46bが形成された本体部46、この本体部46の長手方向の両端を閉塞して取り付けられた端板部47を有し、略長方形箱状に形成されており、これら本体部46および端板部47の内面は反射面として形成されている。
【００７３】
本体部46の天板部46aの中央域下面には点灯装置42および端子台などが取り付けられ、これら点灯装置42および端子台などとともに本体部46の中央域を覆って反射体12が本体部46の天板部46aに取り付けられている。反射体12の両側域において、両端の各端板部47に各ランプソケット41がそれぞれ互いに対向して取り付けられ、これらランプソケット41によって器具本体11内に２本の蛍光ランプＬが配置されている。端子台は器具本体11に電気的に接続された状態に取り付けられ、この端子台を介して器具本体11が接地されている。
【００７４】
本体部46の天板部46aには、反射板12の取付位置の両側域でかつ長手方向の複数箇所に、反射体12を電気接続状態で取り付けるための複数の止め金具84が取り付けられている。これら止め金具84は、導電性を有する金属製の板ばねで、基端が器具本体11にねじ止め固定されて電気的に接続されており、下端側である先端側には相反する外側方へ向けて略Ｕ字形に突出して反射体12を支持する支持部85が形成されている。
【００７５】
また、図９に示すように、制光体82の反射体12は、基板としての導電性を有する金属板の表面を、絶縁性を有する絶縁膜として白色のメラミン焼き付け塗装による塗装で覆った反射体本体部22を有し、この反射体本体部22の部材により一体あるいは複数の部材を組み合わせて形成されている。本例では、長手方向に対して交差する断面が略Ｖ字形に折曲されて両側の反射面部87が形成されている。これら反射面部87の頂部側には、複数のバッフル81がそれぞれ差し込まれて取り付けられるスリット状のバッフル取付溝部88が反射体12の長手方向に等間隔に形成されている。
【００７６】
反射体12の両側の反射面部87には、器具本体11に取り付けられた各止め金具84の位置に対応して各止め金具84の支持部85が挿入される取付孔89が形成されている。この取付孔89には、図９(b)に示すように、取付孔89の上縁部の連結部90を介してノックアウト91が形成されている。そして、この取付孔89の上縁部の連結部90を介してノックアウト91が形成されている状態で、反射体12を単体で塗装、あるいは複数のバッフル81を一体に組み立てた制光体82として塗装した場合でも、その塗装後に、図９(c)に示すように、ノックアウト91を連結部90の部分から切断することにより、連結部90の部分に導電性を有する基板が露出するノックアウト切断部92が形成される。
【００７７】
また、図１０および図１１に示すように、制光体82のバッフル81は、基板としての導電性を有する金属板の表面を、絶縁性を有する絶縁膜として白色のメラミン焼き付け塗装による塗装で覆ったバッフル板94を有し、このバッフル板94の中央域には反射体12の頂部のバッフル取付溝部88に差し込み係合される係合部95が形成されている。この係合部95には、バッフル取付溝部88の両端部と接触して差込方向の位置を位置決めする両側の段部96、および両側の段部96の外側で反射体12の両側外面に接合して位置決めする接合部97が形成されている。
【００７８】
係合部95における反射体12の頂部の内側位置に対応して挿通孔98が形成されている。複数のバッフル81を反射体12の各バッフル取付溝部88に差し込み係合した状態で、これら複数のバッフル81の挿通孔98に反射体12の内側からシャフト99を挿通することにより、複数のバッフル81を反射体12に取り付けられている。シャフト99は、導電性を有する金属製で、取付状態で反射体12に電気的に接続される。
【００７９】
挿通孔98は略だるま孔形状で、挿通孔98の大径孔部分には連結部100を介してノックアウト101が形成されている。そして、この挿通孔98の大径孔部分に連結部100を介してノックアウト101が形成されている状態で、バッフル81を塗装した場合でも、その塗装後に、図１１(c)に示すように、ノックアウト101を連結部100の部分から切断することにより、連結部100の部分に導電性を有する基板が露出するノックアウト切断部102が形成される。
【００８０】
そして、制光体82を組み立てる場合には、各バッフル81の係合部95を反射体12の各バッフル取付溝部88に差し込み係合し、これら複数のバッフル81の挿通孔98に反射体12の内側からシャフト99を挿通し、複数のバッフル81を反射体12に取り付ける。これにより、バッフル81の挿通孔98には導電性を有する基板が露出するノックアウト切断部102が位置し、このノックアウト切断部102とシャフト99とが接触し、取付状態で反射体12に電気的に接続されるシャフト99を介して各バッフル81が反射体12に電気的に接続される。
【００８１】
続いて、器具本体11に制光体82を取り付ける場合には、器具本体11内に制光体82を押し込むことにより、器具本体11の各止め金具84の支持部85が反射体12の両側の反射面部87の内側から取付孔89にそれぞれ嵌まり込み、これら止め金具84によって反射体12を器具本体11に支持する。これにより、反射体12の取付孔89の上縁部には導電性を有する基板が露出するノックアウト切断部92が位置し、このノックアウト切断部92に止め金具84が接触し、止め金具84を通じて器具本体11に反射体12および複数のバッフル81を有する制光体82が電気的に接続される。
【００８２】
このように、反射体12の取付孔89が器具本体11に電気的接続状態で取り付けられた止め金具84に挿入されて、反射体12が器具本体11に支持されるとともに、反射体12の取付孔89の内側のノックアウト切断部92が止め金具84に当接して電気的に接続され、器具本体11に対して反射体12を確実に電気的に接続できる。
【００８３】
さらに、反射体12に係合されたバッフル81の挿通孔98にシャフト99が挿通され、このシャフト99が反射体12に電気的接続状態に取り付けられるとともに、挿通孔98の内側のノックアウト切断部102がシャフト99に接触され、器具本体11に対して反射体12とともにバッフル81を確実に電気的に接続できる。
【００８４】
この場合、反射体12やバッフル81を形成後に塗装する場合でも、ノックアウト91，101を残した状態で塗装し、塗装後に、ノックアウト91，101を切断することにより、導電性を有する基板が露出するノックアウト切断部92，102を形成し、このノックアウト切断部92，102を利用して電気的な接続を図ることができる。
【００８５】
次に、図１２および図１３に第６の実施の形態を示し、図１２は複数のバッフルが多連に形成された金属板の正面図、図１３は反射体とバッフルとの組立状態の一部の断面図である。
【００８６】
この第６の実施の形態では、第５の実施の形態における反射体12とバッフル81との電気的な接続を図る他の例を示す。
【００８７】
基板として導電性を有する金属板111に、複数のバッフル81を多連にプレス形成する。各バッフル81は、金属板111に対して２箇所の連結部112を残して抜き部113で分離されている。２箇所の連結部112は、反射体12のバッフル取付溝部88の両端部と接触するバッフル81の各段部96の位置に対応している。各バッフル81には円形の挿通孔98もプレス形成する。
【００８８】
このバッフル81の多連の状態で塗装処理することにより、バッフル81の表面や抜き部113に臨んでいたバッフル81の縁部を含む全体を塗装できる。塗装後に、各バッフル81を各連結部112の部分から切断することにより、段部96を形成するとともに、この段部96に導電性を有する基板が露出する切断部114が形成される。
【００８９】
また、反射体12のバッフル取付溝部88の両端部には、導電性を有する基板が露出する切断面部116が形成されている。
【００９０】
そして、制光体82を組み立てる場合には、各バッフル81の係合部95を反射体12の各バッフル取付溝部88に差し込み、各バッフル81の両側の段部96をバッフル取付溝部88の両端部に当接させるとともに、両側の接合部97を反射体12の両側外面に接合して、各バッフル81を反射体12に位置決めする。これら複数のバッフル81の挿通孔98に反射体12の内側からシャフト99を挿通し、複数のバッフル81を反射体12に取り付ける。
【００９１】
制光体82を組立状態では、バッフル81の段部96と反射体12のバッフル取付溝部88の端部とが当接し、すなわち、バッフル81の切断部114と反射体12の切断面部116とが当接し、バッフル81が反射体12に電気的に接続される。
【００９２】
このように、反射体12のバッフル取付溝部88にバッフル81が挿入されて取り付けられるとともに、反射体12のバッフル取付溝部88の切断面部116に当接するバッフル81の位置に設けられた切断部114が接触し、器具本体11に対して反射体12とともにバッフル81を確実に電気的に接続できる。
【００９３】
この場合、バッフル81を多連に形成した後に塗装する場合でも、反射体12のバッフル取付溝部88の切断面部116に当接するバッフル81の位置に連結部112を残して塗装し、塗装後に、連結部112を切断することにより、導電性を有する基板が露出する切断部114を形成し、この切断部114を利用して反射体12との電気的な接続を図ることができる。
【図面の簡単な説明】
【００９４】
【図１】本発明の第１の実施の形態を示す照明器具の一部の断面図である。
【図２】第２の実施の形態を示す照明器具の断面図である。
【図３】同上照明器具の平面図である。
【図４】同上照明器具における器具本体の切り起こし部と反射体の取付部との取付状態を示し、(a)は平面図、(b)は断面図である。
【図５】第３の実施の形態を示す照明器具の平面図である。
【図６】第４の実施の形態を示す照明器具の断面図である。
【図７】同上照明器具の反射体の取付構造を示す一部の断面図である。
【図８】第５の実施の形態を示す照明器具の断面図である。
【図９】同上照明器具の反射体を示し、(a)は反射体の側面図、(b)は反射体のノックアウトを有する取付孔を示す側面図、(c)は反射体のノックアウトを切断した取付孔を示す側面図である。
【図１０】同上照明器具の反射体と制光体とを組み合わせた制光体を示し、(a)は制光体の平面図、(b)は制光体の断面図である。
【図１１】同上制光体のバッフルを示し、(a)はバッフルの正面図、(b)はバッフルのノックアウトを有する挿通孔の正面図、(c)はバッフルのノックアウトを切断した挿通孔の正面図である。
【図１２】第６の実施の形態を示す複数のバッフルが多連に形成された基板の正面図である。
【図１３】同上反射体とバッフルとの組立状態の一部の断面図である。
【符号の説明】
【００９５】
11    器具本体
12    反射体
16    基板部
18    切り欠き孔
19    孔縁部
22    反射体本体部
24    切り起こし部
27    切断面部
50    切り起こし部
52    切断面部
56    取付部
59    切断面部
81    バッフル
84    止め金具
89    取付孔
92    ノックアウト切断部
94    バッフル板
95    係合部
98    挿通孔
99    シャフト
102   ノックアウト切断部
111   基板としての金属板
114   切断部
116   切断面部
【図１】
2006221913.tif 000003
【図２】
2006221913.tif 000004
【図３】
2006221913.tif 000005
【図４】
2006221913.tif 000006
【図５】
2006221913.tif 000007
【図６】
2006221913.tif 000008
【図７】
2006221913.tif 000009
【図８】
2006221913.tif 000010
【図９】
2006221913.tif 000011
【図１０】
2006221913.tif 000012
【図１１】
2006221913.tif 000013
【図１２】
2006221913.tif 000014
【図１３】
2006221913.tif 000015